(57)【要約】【課題】建物の意匠性を損なわずに、妻面の壁の効果的な通気を可能にする屋根パネル及び屋根構造を提供する。【解決手段】屋根パネル１０１は、断熱主板３Ａの複数枚を略垂木巾の間隔で配置し、該断熱主板３Ａ相互を細長の断熱連結板３Ｂ，１０３Ｂを上側から貼着することによって連結し、該連結部分を垂木嵌合溝５とした断熱材３を野地面材２の下面に該断熱連結板３Ｂ，１０３Ｂを介して接着し、該野地面材２と該断熱主板３Ａとの間において、該断熱連結板３Ｂ，１０３Ｂ相互の間には該断熱連結板３Ｂ，１０３Ｂの厚み分の通気路４が形成されている屋根パネルである。屋根パネル１０１は、断熱連結板１０３Ｂを当該断熱連結板１０３Ｂの幅方向に貫通して設けられ通気路１０４を外部に連通させる枝通気路１０９を備えている。【選択図】図８
0003147145.tif 000002
【実用新案登録請求の範囲】
【請求項１】
プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の通気路が形成されている屋根パネルであって、
前記断熱連結板を当該断熱連結板の幅方向に貫通して設けられ前記通気路を外部に連通させる枝通気路を備えたことを特徴とする屋根パネル。
【請求項２】
前記枝通気路は、
前記断熱連結板の上側かつ当該断熱連結板の全幅に亘って幅方向に延在する通気溝を形成する面と前記野地面材の下面とで囲まれて形成されていることを特徴とする請求項１に記載の屋根パネル。
【請求項３】
前記枝通気路は、
両端に配置される前記断熱連結板のうちの一方の前記断熱連結板にのみ設けられていることを特徴とする請求項１又は２に記載の屋根パネル。
【請求項４】
該断熱主板と該断熱連結板とは同等の断熱性能を有することを特徴とする請求項１〜３の何れか１項に記載の屋根パネル。
【請求項５】
前記プラスチック発泡体は上下両面に表面材が貼着されているウレタン樹脂発泡体またはフェノール樹脂発泡体であることを特徴とする請求項１〜４の何れか１項に記載の屋根パネル。
【請求項６】
請求項１〜５の何れか１項に記載の屋根パネルを建物の切妻屋根の小屋組の垂木上に被着し、該垂木を該屋根パネルの断熱材の垂木嵌合溝に嵌合し、軒先と棟部とにおいて該屋根パネルの通気路を外気に開放した屋根構造であって、
前記屋根パネルの前記枝通気路は、
前記断熱連結板のうち少なくとも前記建物の妻面に沿って位置する前記断熱連結板に設けられていることを特徴とする屋根構造。
【請求項７】
少なくとも該屋根パネル相互の接続部において、該屋根パネルの断熱材と垂木との接合面にはシール材が介在していることを特徴とする請求項６に記載の屋根構造。
【請求項８】
該垂木上に被着された前記屋根パネルの断熱材の下面は軒先部において壁断熱材の上端に当接させ、該屋根パネルの断熱材の下面と壁断熱材の上端との間に形成される隙間にはシール材を充填し、棟部にあっては左右の屋根パネルの隙間には該屋根パネルの通気路を閉塞しないようにしてシール材を充填したことを特徴とする請求項６又は７に記載の屋根構造。
【考案の詳細な説明】
【技術分野】
【０００１】
本考案は、建物の屋根下地を形成する屋根パネル及び屋根構造に関するものである。
【背景技術】
【０００２】
従来、このような分野の技術として、下記特許文献１に記載の屋根パネル及び屋根構造が知られている。この屋根パネルは、プラスチック発泡体からなる複数枚の断熱主板を、同じ材料の細長の断熱連結板を上側から貼着することによって連結し、更に断熱連結板の上面に野地面材を接着したものである。この屋根パネルの野地面材と断熱主板との間には断熱連結板の厚み分の通気路が形成され、断熱連結板による連結部分には、垂木に嵌め合わされる垂木嵌合部が形成されている。このような屋根パネルが垂木に嵌め合わされながら二次元的に敷き詰められて、屋根下地が構築される。特許文献１では、このような屋根構造により、屋根の通気性を確保すると共に、屋根の断熱欠損部をなくすことで断熱性を向上させることが提案されている。
【特許文献１】特許４０２８８８１号公報
【考案の開示】
【考案が解決しようとする課題】
【０００３】
ところで、このような屋根パネルを建物の切妻屋根に使用する場合を考えると、屋根パネルの通気路は垂木方向に延在することになるので、通気路の開放口は軒側及び棟側に現れる。従って、例えば、桁面の壁の通気層を屋根パネルの通気路に連通させて桁面の壁の通気性を確保することは比較的容易である。
【０００４】
これに対し、妻面側に対しては屋根パネルの通気路は閉塞された状態にあるので、妻面の壁通気層は屋根側には連通しておらず、妻面からの通気を屋根側に逃がすことができない。従って、妻面の壁の通気性を確保するためには、妻面の壁外装材を貫通させる通気孔を別途設けて妻面の壁通気層を外気に開放する必要がある。しかも、近年の建物の傾向にあっては、敷地の効率的な利用や意匠的な観点等から妻面の庇を設けない場合も多いので、上記のような通気孔を設ける場合には、雨水侵入防止のために通気孔にカバーを設けたりすることが併せて必要な場合も多い。そしてこのような通気孔やカバー等によって、建物の意匠性が損なわれる場合もあり得る。
【０００５】
そこで、このような問題に鑑み、本考案は、建物の意匠性を損なわずに、妻面の壁の効果的な通気を可能にする屋根パネル及び屋根構造を提供することを目的とする。
【課題を解決するための手段】
【０００６】
本考案の屋根パネルは、プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の通気路が形成されている屋根パネルであって、
断熱連結板を当該断熱連結板の幅方向に貫通して設けられ通気路を外部に連通させる枝通気路を備えたことを特徴とする。
【０００７】
この屋根パネルを建物の切妻屋根に用いた場合において、妻面に接して配置される屋根パネルを考えると、この配置の屋根パネルの通気路は、枝通気路を通じて妻面側に開放されることになる。従って、この屋根パネルの通気路と妻面の壁通気層とを連通させることが可能になり、妻面の壁通気層の通気性を確保することができる。そしてこの場合、妻面の壁に通気性確保のための通気孔を別途設ける必要がないので、建物の意匠性も損なわれない。
【０００８】
また、枝通気路は、断熱連結板の上側かつ当該断熱連結板の全幅に亘って幅方向に延在する通気溝を形成する面と野地面材の下面とで囲まれて形成されていることとしてもよい。このような構成によれば、断熱連結板の上側に通気溝を設けることにより、比較的容易に上記の枝通気路を設けることができる。
【０００９】
また、枝通気路は、両端に配置される断熱連結板のうちの一方の断熱連結板にのみ設けられていることとしてもよい。この構成によれば、枝通気路が設けられた一方の断熱連結板を妻面側に向けて設置することにより、通気パネルの少なくとも１つの通気路を妻面の壁通気層に連通させることができる。
【００１０】
また断熱主板と断熱連結板とは同等の断熱性能を有することとしてもよい。この構成によれば、断熱主板と断熱連結板とを同じ材料で作製することもできる。
【００１１】
また、プラスチック発泡体は上下両面に表面材が貼着されているウレタン樹脂発泡体またはフェノール樹脂発泡体であることとしてもよい。
【００１２】
また、本考案の屋根構造は、上記何れかの屋根パネルを建物の切妻屋根の小屋組の垂木上に被着し、該垂木を該屋根パネルの断熱材の垂木嵌合溝に嵌合し、軒先と棟部とにおいて該屋根パネルの通気路を外気に開放した屋根構造であって、  屋根パネルの枝通気路は、断熱連結板のうち少なくとも建物の妻面に沿って位置する断熱連結板に設けられていることを特徴とする。
【００１３】
また、少なくとも該屋根パネル相互の接続部において、該屋根パネルの断熱材と垂木との接合面にはシール材が介在していることとしてもよい。この構成により、建物の断熱性が向上する。
【００１４】
また、本考案の屋根構造では、該垂木上に被着された屋根パネルの断熱材の下面は軒先部において壁断熱材の上端に当接させ、該屋根パネルの断熱材の下面と壁断熱材の上端との間に形成される隙間にはシール材を充填し、棟部にあっては左右の屋根パネルの隙間には該屋根パネルの通気路を閉塞しないようにしてシール材を充填することとしてもよい。
【考案の効果】
【００１５】
本考案の屋根パネル及び屋根構造によれば、建物の意匠性を損なわずに、妻面の壁の効果的な通気が可能になる。
【考案を実施するための最良の形態】
【００１６】
以下、図面を参照しつつ本考案に係る屋根パネル及び屋根構造の好適な一実施形態について詳細に説明する。本考案の屋根パネルの一実施形態である屋根パネル１０１（図８及び図９参照）は、従来の屋根パネル１（図１参照）と一緒に用いられ、本考案の屋根構造の構築に用いられるものである。以下、屋根パネル１０１の説明に先だって、まず、屋根パネル１について説明する。
【００１７】
図１及び図２に示すように、屋根パネル１は野地面材２と、該野地面材２の下面に接着剤によって接着されている断熱材３とからなる。断熱材３は、複数枚の断熱主板３Ａと、隣接する一対の断熱主板３Ａ間を連結する細長の断熱連結板３Ｂとからなる。該断熱主板３Ａ及び断熱連結板３Ｂは、同じ材料からなり、この材料としては、ポリスチレン樹脂発泡体、ポリエチレン樹脂発泡体、ポリプロピレン樹脂発泡体、ポリウレタン樹脂発泡体、必要に応じ上下両面にプラスチックフィルム、不織布、紙、金属製シート（表面材）が貼着されているポリウレタン発泡体あるいはフェノール樹脂発泡体、メラミン樹脂発泡体等のプラスチック発泡体が用いられる。
【００１８】
該一対の断熱主板３Ａ間には垂木嵌合溝５が形成され、該断熱連結板３Ｂは一対の断熱主板３Ａの隣接部分に上側から貼着されている。そして、該断熱材３は該断熱連結板３Ｂを介して該野地面材２に接着されており、かくして該野地面材２と該断熱材３の断熱主板３Ａとの間には、該断熱連結板３Ｂの厚み分の通気路４が形成されている。そして該屋根パネル１の両端においては、該断熱材３の断熱連結板３Ｂと野地面材２とを共に断熱主板３Ａから延出せしめ、該延出部分３Ｃの下側を両端の垂木嵌合溝５Ａとする。上記両端の垂木嵌合溝５Ａの巾は、その他の垂木嵌合溝５の巾の１／２に設定する。なお、ここで、図１及び図２に示される屋根パネル１は、２枚の断熱主板３Ａと３枚の断熱連結板３Ｂとを有する代表的な形態のものである。
【００１９】
このような屋根パネル１が、垂木６上に二次元的に敷き詰められることで、建物の屋根下地が構築される。このとき、図３に示すように、各屋根パネル１は小屋組の垂木６上に被着され、該垂木６を該屋根パネル１の断熱材３の垂木嵌合溝５，５Ａに嵌合する。この状態で該断熱材３の断熱連結板３Ｂが該垂木６の上側を覆い、垂木による断熱欠陥部を解消する。断熱効率を高めるために該断熱連結板３Ｂの厚みは２０ｍｍ以上とすることが望ましい。
【００２０】
図４に示すように、該垂木６は下側において軒桁７Ａ、母屋７Ｂ、棟木７Ｃによって支持されている。そして該屋根パネル１の横方向の相互接続部においては、図３に示すように該断熱材３の断熱主板３Ａと垂木６との間にシール材８を介在させて気密性を確保している。
【００２１】
更に、軒先部にあっては、該屋根パネル１の通気路４の軒先側端は外気に開放されており、また該断熱材３の断熱主板３Ａの下面は壁断熱材２０の上端と当接している。該屋根パネル１の断熱材３の断熱主板３Ａの下面と該壁断熱材２０の上端との間に形成されている隙間には、軟質ポリウレタン発泡体、軟質ポリ塩化ビニル発泡体、合成ゴムスポンジ等の軟質プラスチック発泡体からなる断熱性シール材９を充填し、屋根の断熱材３と壁断熱材２０との接合部において、断熱構造の連続性が断たれることを防止している。更に、棟部にあっても左右の屋根パネル１，１の接合部の隙間にも、同様な断熱性シール材１０が充填されて断熱構造の連続性が断たれることを防止しているが、該断熱性シール材１０は該屋根パネル１の通気路４を閉塞しないように該屋根パネル１の断熱材３の断熱主板３Ａ間に充填され、棟に沿って左右の屋根パネル１，１間に形成される横通気路１１に、該屋根パネル１，１の各通気路４，４の棟側端が開放されるように設定されている。
【００２２】
図５に示すように、該屋根パネル１の野地面材２の上面には、屋根材１２が葺設される。そして、棟部にあっては笠木１３，１３を介して水切り板１４が被覆されている。そして、棟部の所定個所には、図６および図７に示すような棟換気部材１６が被着されており、屋根１７の該横通気路１１が該棟換気部材１６を介して外気に開放されるように設定されている。該棟換気部材１６はポリプロピレン、ポリ塩化ビニル等のプラスチックを材料とし、笠形水切り板１６Ａと、該水切り板１６Ａの下面両側に接着される通気性ブロック１６Ｂとからなり、該通気性ブロック１６Ｂには例えばハニカム状に多数の連通孔が設けられている。
【００２３】
上記屋根１７にあっては、軒先側の換気は屋根パネル１の通気路４の軒先端が直接外気に開放していることによって行なわれ、棟側換気は屋根パネル１の通気路４が横通気路１１に開放され、該横通気路１１が該棟換気部材１６を介して外気に開放されることによって行なわれる。
【００２４】
続いて、本考案の屋根パネルの一実施形態である屋根パネル１０１について説明する。この屋根パネル１０１は、図８及び図９に示すように、屋根パネル１に対して変更を加えたものである。屋根パネル１０１は、屋根パネル１に代えて屋根構造の構築に用いることも可能であり、上述した説明における屋根パネル１をすべて屋根パネル１０１に交換することも可能である。
【００２５】
図８及び図９に示すように、屋根パネル１０１の断熱連結板１０３Ｂの上面には、幅方向（水平方向）に延びる断面矩形の通気溝１０７が形成されている。通気溝１０７は、断熱連結板１０３Ｂの全幅に亘って延在しており、等間隔で数箇所（例えば、図８及び図９の場合は３箇所）に形成されている。このような通気溝１０７は、例えば、断熱連結板の上面に切削加工を施すことにより形成可能である。
【００２６】
通気溝１０７の深さは、断熱連結板１０３Ｂの厚みよりも浅いので、断熱連結板１０３Ｂの下面に断熱欠陥部が発生することはなく、断熱連結板１０３Ｂの直下の嵌合溝１０５Ａにおける気密性は屋根パネル１と同様に確保される。また、各通気溝１０７同士の間隔は、妻面２０３（図１０参照）に配列される柱の設置間隔よりも短く設定される。
【００２７】
このような通気溝１０７が設けられることにより、野地面材２の下面と通気溝１０７を形成する面とで囲まれてなる断面矩形の貫通孔１０９が形成される。この貫通孔１０９は、断熱連結板１０３Ｂに隣接する通気路１０４を、屋根パネル１０１の側方の外部に連通させるための枝通気路として機能する。以下、この貫通孔１０９のことを「枝通気路１０９」と称する場合がある。このように、上面の溝の形成といった比較的容易な加工を断熱連結板１０３Ｂに施すことにより、簡易に枝通気路１０９を設けることができる。なお、この屋根パネル１０１の構成要素のうち屋根パネル１と同一又は同等の構成要素については、図面に同一の符号を付して重複する説明を省略する。
【００２８】
続いて、図１０に示すように、上記の屋根パネル１及び屋根パネル１０１を、切妻屋根をもつ建物２００の垂木上に敷き詰めて構築される屋根構造２０１について説明する。
【００２９】
この屋根構造２０１においては、建物２００の妻面２０３に接して配置される位置には、屋根パネル１０１が取り付けられ、それ以外の位置には屋根パネル１が取り付けられている。このうち、妻面２０３に接して配置される屋根パネル１０１について考えると、この屋根パネル１０１の両端に位置する断熱連結板のうちの一方が、妻面２０３に最も近い位置にあり妻面２０３に沿って延在することになる。そこで、図１０に示すように、屋根パネル１０１は、妻面２０３に近い側に断熱連結板１０３Ｂを向けて設置される。
【００３０】
図１１及び図１２に示すように、上記の屋根パネル１０１の採用により、妻面２０３に最も近い位置に存在する垂木２０６の上には、断熱連結板１０３Ｂが妻面２０３に沿って延在する。なお、図１１は、図１０におけるＸＩ−ＸＩ断面を示し、図１２は、図１１に示される枝通気路１０９付近を妻面２０３側から見た状態を示している。この建物２００の妻面２０３の壁においては、外装材２０５の内側に空洞の壁通気層２０７が存在している。そして、この壁通気層２０７は、垂木２０６を横切る方向に延びる枝通気路１０９によって、屋根パネル１０１の通気路１０４に連通されることになる。このことで、壁通気層２０７からの通気を、屋根の通気路１０４を通じて屋根側に逃がし、最終的に軒先及び棟に逃がす事ができる。このような壁の通気性は、壁の湿気を排出して建物の構造体の劣化を抑制する上で重要である。
【００３１】
ここで、妻面２０３に接する屋根パネル１０１の代わりに、仮に、屋根パネル１を取り付けるとすれば、図１１及び図１２において枝通気路１０９が無い状態となり、壁通気層２０７の上端は閉塞されることになる。従って、この場合、壁の通気性を確保すべく、妻面２０３の上部において、外装材２０５を貫通する通気孔を設ける必要がある。しかも、近年の建物の傾向にあっては、敷地の効率的な利用や意匠性等の観点から妻面２０３側に庇を設けない場合も多く、この場合には、通気孔への雨水侵入防止のためのカバー等も必要である。このように外装材２０５に通気孔やカバーを設けることで、建物２００の妻面２０３の意匠性が損なわれる場合もある。これに対して、妻面２０３に接する屋根パネルを、上記の屋根パネル１０１とすることで、壁通気層２０７が屋根側に連通して通気性が確保されるので、上記の通気孔やカバーは不要であり、建物２００の妻面２０３の意匠性が損なわれない。
【００３２】
本考案は、以上説明した実施形態に限定されるものではない。例えば、屋根パネル１０１では、複数の断熱連結板のうちの片端に位置する１枚のみに通気溝１０７を形成しているが、更に加えて何れか複数の断熱連絡板に通気溝１０７を形成してもよい。また、パネルの両端に位置する断熱連結板に通気溝１０７を形成してもよく、また、すべての断熱連結板に通気溝１０７を形成してもよい。また、枝通気路１０９を設けるためには、通気溝１０７のような溝の形成に限られず、例えば、断熱連結板の内部を幅方向に貫通する貫通孔を形成してもよい。また、断熱主板３Ａと断熱連結板３Ｂ，１０３Ｂとは、必ずしも同じ材料を用いる必要はなく、互いに異なった材料を用いてもよい。また、上記実施形態では、図１０のように妻面２０３に接する位置のみに屋根パネル１０１を採用しているが、屋根構造全面に屋根パネル１０１を採用してもよい。また、本実施形態では、木造の建物を例示するが、軽鉄小屋組にも適用可能である。
【図面の簡単な説明】
【００３３】
【図１】屋根パネルを示す一部破断斜視図である。
【図２】図１の屋根パネルの正面図である。
【図３】図１の屋根パネルを小屋組上に被着した状態の部分横断面図である。
【図４】図１の屋根パネルを小屋組上に被着した状態の部分縦断面図
【図５】図１の屋根パネルが用いられる建物の棟部の横断面図（水切り板取付け部分）である。
【図６】図１の屋根パネルが用いられる建物の棟部の横断面図（棟換気部材取付け部分）である。
【図７】図１の屋根パネルが用いられる建物の棟換気部材の正面図である。
【図８】本考案に係る屋根パネルの一実施形態を示す一部破断斜視図である。
【図９】図８の屋根パネルの断面図である。
【図１０】本考案の屋根パネルが用いられる建物及び屋根下地構造を示す斜視図である。
【図１１】図１０の建物におけるＸＩ−ＸＩ断面図である。
【図１２】図１１に示される枝通気路付近を妻面側から見た状態を示す断面図である。
【符号の説明】
【００３４】
２…野地面材、３…断熱材、３Ａ…断熱主板、３Ｂ，１０３Ｂ…断熱連結板、４，１０４…通気路、５，５Ａ，１０５Ａ…垂木嵌合部、６，２０６…垂木、８，９，１０…シール材、１０７…溝、１０９…枝通気路（貫通孔）、２００…建物、２０１…屋根構造、２０３…妻面。
【図１】
0003147145.tif 000003
【図２】
0003147145.tif 000004
【図３】
0003147145.tif 000005
【図４】
0003147145.tif 000006
【図５】
0003147145.tif 000007
【図６】
0003147145.tif 000008
【図７】
0003147145.tif 000009
【図８】
0003147145.tif 000010
【図９】
0003147145.tif 000011
【図１０】
0003147145.tif 000012
【図１１】
0003147145.tif 000013
【図１２】
0003147145.tif 000014